(57)【要約】  タブレット端末装置Ｗは、表示部材１１と、表示部材１１の前面よりも面積が大きく、表示部材１１の前面を全面的に覆うガラス板２１と、ガラス板２１の表示部材１１側の面のうち表示部材１１の周囲の部分を保持する上壁部４１ｄを有する内側ケース４０と、ガラス板２１の側部を囲う外側ケース３０と、を備え、外側ケース３０は、ガラス板２１と内側ケース４０との間に挿入され、ガラス板２１の表示部材１１側の面のうち内側ケース４０により保持されていない部分を保持する外側リブ３１ｄを備える。
2015097938.tif 000002
【特許請求の範囲】
【請求項１】
表示部材と、
前記表示部材の前面よりも面積が大きく、前記表示部材の前面を全面的に覆うガラス板と、
前記ガラス板のうち前記表示部材の周囲の部分を保持する第１の保持部を有するフレームと、
前記ガラス板の側部を囲う外装部材と、を備え、
前記外装部材は、前記ガラス板と前記フレームとの間に挿入され、前記ガラス板の前記表示部材側の面のうち前記フレームにより保持されていない部分を保持する第２の保持部を備える、
電子機器。
【請求項２】
前記フレームと前記外装部材との間に所定の空間が形成され、
前記所定の空間にアンテナが配置され、
前記ガラス板における前記フレームにより保持されていない部分は、前記ガラス板における、前記所定の空間を前記ガラス板に対してその主面に垂直な方向に投影した部分である、
請求項１記載の電子機器。
【請求項３】
前記第１の保持部は、前記ガラス板の主面に平行に延びる第１のリブを備え、
前記第２の保持部は、前記ガラス板の主面に平行に延びる第２のリブであり、
前記第１のリブ及び前記第２のリブは、端部側が前記ガラス板の主面に対して垂直な方向において互いに重なるように形成されている、
請求項１または請求項２に記載の電子機器。
【請求項４】
前記第１のリブ及び前記第２のリブはそれぞれ、前記第１のリブが前記ガラス板側に位置する状態で重なる部分と、前記第２のリブが前記ガラス板側に位置する状態で重なる部分とが交互に存在するように形成されている、
請求項３記載の電子機器。
【請求項５】
前記フレームは金属で形成され、
前記外装部材は樹脂で形成されている、
請求項１から請求項４のいずれか１項に記載の電子機器。
【請求項６】
前記電子機器は、タブレット型コンピュータである、
請求項１から請求項５のいずれか１項に記載の電子機器。
【発明の詳細な説明】
【技術分野】
【０００１】
本開示は、表示部材の前面を覆うガラス板を有する電子機器に関する。
【背景技術】
【０００２】
表示装置やタブレットコンピュータ等の電子機器は、画像や文字等を表示するための表示部材を有する。特許文献１には、表示部材の保持構造が開示されている。特許文献１では、表示部材は、枠状のケース本体の側部から側方に突出して設けられた突出部により支持される。
【先行技術文献】
【特許文献】
【０００３】
【特許文献１】特開２０００−２２３８５８号公報
【発明の概要】
【発明が解決しようとする課題】
【０００４】
表示部材の前面には、表示部材の前面よりも面積が大きく、表示部材の前面を覆う保護用のガラス板が設けられる場合がある。そのため、保護用のガラス板における表示部材の周囲となる部分の裏面側には、部品等の存在しない空間が形成される場合があり、この場合、ガラス板に表面側から大きな力が加わるとガラス板が破損する虞がある。【０００５】
本開示は、表示部材の前面に配置される保護用のガラス板を適切に保護可能な電子機器を提供する。
【課題を解決するための手段】
【０００６】
本開示に係る電子機器は、表示部材と、表示部材の前面よりも面積が大きく、表示部材の前面を全面的に覆うガラス板と、ガラス板のうち表示部材の周囲の部分を保持する第１の保持部を有するフレームと、ガラス板の側部を囲う外装部材と、を備え、外装部材は、ガラス板とフレームとの間に挿入され、ガラス板の表示部材側の面のうちフレームにより保持されていない部分を保持する第２の保持部を備える。
【発明の効果】
【０００７】
本開示の電子機器によれば、ガラス板は、フレームの第１の保持部と外装部材の第２の保持部とにより保持される。そのため、外部からガラス板に力が加わった場合でも、第１の保持部及び第２の保持部により力が受け止められることとなる。したがって、外部からの力によるガラス板の破損等が抑制されることとなる。
【図面の簡単な説明】
【０００８】
【図１】本開示の実施の形態に係るタブレット端末装置の上面（表示面）側を示す斜視図
【図２】本開示の実施の形態に係るタブレット端末装置の下面（背面）側を示す斜視図
【図３Ａ】本開示の実施の形態に係るタブレット端末装置において、ガラス板を取り外しかつ外側カバーの側面部材の一部を取り外した状態で、上面（表示面）側を示した斜視図
【図３Ｂ】本開示の実施の形態に係るタブレット端末装置において、ガラス板を取り外した状態で上面（表示面）側を示した斜視図
【図４】図１のＡ−Ａ線に沿う断面を一部省略して示した図
【図５】図１のＡ−Ａ線に沿う斜視断面図
【図６】図４、図５のＢ−Ｂ線に沿う断面図
【発明を実施するための形態】
【０００９】
（実施形態１）
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１０】
また、以下の説明では、特定の方向を意味する用語（例えば、「上」、「下」、「左」、「右」、およびそれらを含む他の用語）を使用する場合があるが、それらの使用は図面を参照した開示の理解を容易にするためであって、それらの用語の意味によって本開示は限定的に解釈されるべきものではない。
【００１１】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。タブレット端末装置は、ＣＰＵ、ＲＡＭ、ＲＯＭ、ＳＳＤ等の記憶装置、入力部、種々の外部インタフェース等を備え、記憶装置に記憶されているプログラムをＣＰＵで演算処理することにより、所定の機能を実現する。
【００１２】
図１は、本実施の形態に係る電子機器としてのタブレット端末装置の上面（表示面）側を示す斜視図、また、図２は、タブレット端末装置の下面（背面）側を示す斜視図である。
【００１３】
これらの図に示すように、本実施の形態に係るタブレット端末装置Ｗは、平面視で略四角形状に形成され所定の厚さ（高さ）を有する。タブレット端末装置Ｗの上面部２には、ガラス板２１が配置されている。ガラス板２１の下面側には、表示部材１１が配置されている。表示部材１１は、例えば液晶表示装置である。表示部材１１は、ユーザがタッチ入力可能なタッチパネル式の表示装置であってもよい。タブレット端末装置Ｗの下面部４（背面側）には、電池パック１０が装着されている。電池パック１０は、電池ロック操作部材を操作することにより、着脱可能である。タブレット端末装置Ｗの側面部６には、種々の操作スイッチや種々のコネクタが配置されている。
【００１４】
タブレット端末装置Ｗは、筐体１として、ガラス板２１で構成される上面部以外の外表面を構成する外側ケース３０を有する。外側ケース３０は、側面部６を構成する側面部材３１、及び下面部４を構成する下面部材３２を有する。側面部材３１は、平面視で額縁状の形状を有している。外側ケース３０を構成する各部材は、例えばエラストマ等の樹脂で形成されている。
【００１５】
外側ケース３０及びガラス板２１で囲まれた内部空間には、図４に示すように、内側ケース４０が収容されている。内側ケース４０は、種々の電子部品類を収容可能なように箱状に構成されている。内側ケース４０は、ガラス板２１側に配置される上側部材４１と、ガラス板２１とは反対側に配置される下側部材４２とで構成される。内側ケース４０は、タブレット端末装置Ｗのフレーム（骨格材）を構成し、機械的剛性等の確保のために、例えばマグネシウム（Ｍｇ）等の金属材料を用いて形成されている。なお、以下の説明においては、上側部材４１と下側部材４２とを区別せず内側ケース４０として説明する。
【００１６】
図３Ａに示すように、内側ケース４０の一側部（図３Ａにおいて右下側の側部）には、その一部を外側ケース３０において対応する側部（側面部材３１）から端末装置Ｗの長手方向において所定長離れる方向に凹ませることにより凹部４１ａが形成されている。そして、この凹部４１ａにより、図４に示すように、内側ケース４０と外側ケース３０との間には空間Ｘが形成される。この空間Ｘは、無線通信用のアンテナ５１を配置するために形成されている。以下、この空間Ｘをアンテナ配置空間Ｘという。
【００１７】
図４に示すように、外側ケース３０の側面部材３１は、側壁部３１ａと、側壁部３１ａの上端から側壁部３１ａに対してほぼ垂直に延びる上壁部３１ｂと、側壁部３１ａの下端から側壁部３１ａに対してほぼ垂直に延びる下壁部３１ｃとを備え、断面が略コ字状の形状に形成されている。
【００１８】
本実施形態においては、タブレット端末装置Ｗの一側部側のガラス板２１の下面側には、前述のように、アンテナ配置空間Ｘが形成されている。そのため、ガラス板２１におけるアンテナ配置空間Ｘの上方に位置し内側ケース４０により保持されていない部分に力が加えられた場合に、ガラス板２１が破損しないように構成する必要がある。ガラス板２１における内側ケース４０により保持されていない部分とは、ガラス板２１における、アンテナ配置空間Ｘをガラス板２１に対してその主面に垂直な方向に投影した部分（以下、適宜「アンテナ配置空間Ｘの上方部分」という）である。これに対応するため、本実施形態では、以下の構造を採用している。
【００１９】
すなわち、図４、図５に示すように、本実施形態では、ガラス板２１におけるアンテナ配置空間Ｘの上方部分以外の部分は、表示部材１１を収容する内側ケース４０の上壁部４１ｄにより表示部材１１の周囲の部分が保持されている。さらに、本実施形態では、ガラス板２１におけるアンテナ配置空間Ｘの上方部分を保持する部分として、外側ケース３０に、側壁部３１ａの上端近傍から内側ケース４０側へガラス板２１の主面に平行に延びる外側リブ３１ｄが形成されている。これにより、図３Ｂに示すように、内側ケース４０の上壁部４１ｄが存在しない部分に、外側ケース３０の外側リブ３１ｄが存在することとなる。これにより、ガラス板２１は、内側ケース４０により保持されていない部分（アンテナ配置空間Ｘの上方の部分）においても、外側ケース３０の外側リブ３１ｄにより保持される。
【００２０】
また、本実施形態においては、内側ケース４０に、側壁部４１ｂの上端近傍から外側ケース３０側へ、上壁部４１ｄとほぼ同じ高さ位置でガラス板２１の主面に平行に延びる内側リブ４１ｃが形成されている。
【００２１】
外側ケース３０の外側リブ３１ｄの端部は、タブレット端末装置Ｗの厚み方向において内側ケース４０の内側リブ４１ｃの端部に重なっている。具体的に、外側ケース３０の外側リブ３１ｄ及び内側ケース４０の内側リブ４１ｃは、端部側がタブレット端末装置Ｗの厚み方向において（ガラス板２１の主面に対して垂直な方向において）互いに重なるように、前記厚み方向における位置を異ならせて形成されている。
【００２２】
さらに、本実施形態においては、図５、図６に示すように、外側ケース３０の外側リブ３１ｄ及び内側ケース４０の内側リブ４１ｃはそれぞれ、外側ケース３０の外側リブ３１ｄがガラス板２１側に位置する状態で重なる部分と、内側ケース４０の内側リブ４１ｃがガラス板２１側に位置する状態で重なる部分とが交互に存在するように、タブレット端末装置Ｗにおける厚み方向の位置を交互に異ならせて形成されている。この構成において、外側ケース３０の外側リブ３１ｄが内側ケース４０の内側リブ４１ｃよりもガラス板２１側に位置する箇所においては、外側ケース３０の外側リブ３１ｄが、ガラス板２１と内側ケース４０の内側リブ４１ｃとの間に挿入された形態となる。これにより、内側ケース４０の内側リブ４１ｃにより外側ケース３０の外側リブ３１ｄが保持されることとなり、外側ケース３０の外側リブ３１ｄ部分によるガラス板２１に対する保護構造が堅固なものとなる。また、内側ケース４０は金属製で機械的剛性が高いので、外側ケース３０の外側リブ３１ｄに対する保持の剛性も高くなり、これにより、上記保護構造がより堅固なものとなる。
【００２３】
２．まとめ
本実施形態のタブレット端末装置Ｗは、表示部材１１と、表示部材１１の前面よりも面積が大きく、表示部材１１の前面を全面的に覆うガラス板２１と、ガラス板２１のうち表示部材１１の周囲の部分を保持する上壁部４１ｄを有する内側ケース４０と、ガラス板２１の側部を囲う外側ケース３０と、を備え、外側ケース３０は、ガラス板２１と内側ケース４０との間に挿入され、ガラス板２１の表示部材１１側の面のうち内側ケース４０により保持されていない部分を保持する外側リブ３１ｄ（第２の保持部）を備える。
【００２４】
これにより、ガラス板２１は、内側ケース４０の内側リブ４１ｃと外側ケース３０の外側リブ３１ｄとにより保持される。そのため、外部からガラス板２１に力が加わった場合でも、外側リブ３１ｄ及び内側リブ４１ｃにより力が受け止められることとなる。したがって、外部からの力によるガラス板２１の破損等が抑制されることとなる。
【００２５】
本実施形態において、内側ケース４０と外側ケース３０との間にアンテナ配置空間Ｘが形成され、アンテナ配置空間Ｘにアンテナ５１が配置され、ガラス板２１における内側ケース４０により保持されていない部分は、ガラス板２１における、アンテナ配置空間Ｘをガラス板２１に対してその主面に垂直な方向に投影した部分である。
【００２６】
これにより、ガラス板２１における、アンテナ配置空間Ｘをガラス板２１に対してその主面に垂直な方向に投影した部分に外部からガラス板２１に力が加わった場合でも、外側リブ３１ｄ及び内側リブ４１ｃにより力を受け止めることができる。したがって、外部からの力によるガラス板２１の破損等が抑制されることとなる。
【００２７】
本実施形態において、内側ケース４０の上壁部４１ｄは、ガラス板２１の主面に平行に延びる内側リブ４１ｃを備え、外側リブ３１ｄはガラス板２１の主面に平行に延び、内側リブ４１ｃ及び外側リブ３１ｄは、端部側がガラス板２１の主面に対して垂直な方向において重なるように形成されている。
【００２８】
これにより、外部からガラス板２１に力が加わった場合でも、外側リブ３１ｄと内側リブ４１ｃとが重なっていることにより、より強固に力を受け止めることができる。
【００２９】
本実施形態において、内側リブ４１ｃ及び外側リブ３１ｄはそれぞれ、内側リブ４１ｃがガラス板２１側に位置する状態で重なる部分と、外側リブ３１ｄがガラス板２１側に位置する状態で重なる部分とが交互に存在するように形成されている。
【００３０】
これにより、内側リブ４１ｃと外側リブ３１ｄとが互いに噛み合って連結されることとなる。そのため、外部からガラス板２１に力が加わった場合に、外側リブ３１ｄ及び内側リブ４１ｃにより、より一層強固に力を受け止めることができる。
【００３１】
本実施形態において、内側ケース４０は金属で形成され、外側ケース３０は樹脂で形成されている。
【００３２】
これによれば、持ち運び利用されることにより機械的剛性が要求されるタブレット端末装置Ｗの剛性を金属製の内側ケース４０により向上させることができるとともに、樹脂製の外側ケース３０によりタブレット端末装置Ｗの利用時のユーザの利便性を確保することができる。
【００３３】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３４】
本実施形態では、電子機器がタブレット端末装置である場合について説明した。しかし、これに限らない。本開示は、ノート型コンピュータ、電子手帳、電子ゲーム装置等の電子機器に広く適用可能である。
【００３５】
以上のように、本開示における技術の例示として、実施の形態を説明した。そのために、添付図面及び詳細な説明を提供した。
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００３６】
本開示は、ノート型コンピュータ、タブレット型コンピュータ、電子手帳、電子ゲーム装置等の持ち運び可能な電子機器に広く適用可能である。
【符号の説明】
【００３７】
Ｗ  タブレット端末装置
１  筐体
２  上面部
４  下面部
６  側面部
１０  電池パック
１１  表示部材
２１  ガラス板
３０  外側ケース
３１  側面部材
３１ａ  側壁部
３１ｂ  上壁部
３１ｃ  下壁部
３１ｄ  外側リブ
３２  下面部材
４０  内側ケース
４１  上側部材
４１ａ  凹部
４１ｃ  内側リブ
４１ｄ  上壁部
４２  下側部材
５１  アンテナ
Ｘ  アンテナ配置空間
【図１】
2015097938.tif 000003
【図２】
2015097938.tif 000004
【図３Ａ】
2015097938.tif 000005
【図３Ｂ】
2015097938.tif 000006
【図４】
2015097938.tif 000007
【図５】
2015097938.tif 000008
【図６】
2015097938.tif 000009
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
表示部材と、
前記表示部材の前面よりも面積が大きく、前記表示部材の前面を全面的に覆うガラス板と、
前記ガラス板のうち前記表示部材の周囲の部分を保持する第１の保持部を有するフレームと、
前記ガラス板の側部を囲う外装部材と、を備え、
前記外装部材は、前記ガラス板と前記フレームとの間に挿入され、前記ガラス板における前記フレームにより保持されていない部分を保持する第２の保持部を備える、
電子機器。
【請求項２】
前記フレームと前記外装部材との間に所定の空間が形成され、
前記所定の空間にアンテナが配置され、
前記ガラス板における前記フレームにより保持されていない部分は、前記ガラス板における、前記所定の空間を前記ガラス板に対してその主面に垂直な方向に投影した部分である、
請求項１記載の電子機器。
【請求項３】
前記第１の保持部は、前記ガラス板の主面に平行に延びる第１のリブを備え、
前記第２の保持部は、前記ガラス板の主面に平行に延びる第２のリブであり、
前記第１のリブ及び前記第２のリブは、端部側が前記ガラス板の主面に対して垂直な方向において互いに重なるように形成されている、
請求項１または請求項２に記載の電子機器。
【請求項４】
前記第１のリブ及び前記第２のリブはそれぞれ、前記第１のリブが前記ガラス板側に位置する状態で重なる部分と、前記第２のリブが前記ガラス板側に位置する状態で重なる部分とが交互に存在するように形成されている、
請求項３記載の電子機器。
【請求項５】
前記フレームは金属で形成され、
前記外装部材は樹脂で形成されている、
請求項１から請求項４のいずれか１項に記載の電子機器。
【請求項６】
前記電子機器は、タブレット型コンピュータである、
請求項１から請求項５のいずれか１項に記載の電子機器。
【手続補正２】
【補正対象書類名】明細書
【補正対象項目名】全文
【補正方法】変更
【補正の内容】
【発明の詳細な説明】
【技術分野】
【０００１】
本開示は、表示部材の前面を覆うガラス板を有する電子機器に関する。
【背景技術】
【０００２】
表示装置やタブレットコンピュータ等の電子機器は、画像や文字等を表示するための表示部材を有する。特許文献１には、表示部材の保持構造が開示されている。特許文献１では、表示部材は、枠状のケース本体の側部から側方に突出して設けられた突出部により支持される。
【先行技術文献】
【特許文献】
【０００３】
【特許文献１】特開２０００−２２３８５８号公報
【発明の概要】
【発明が解決しようとする課題】
【０００４】
表示部材の前面には、表示部材の前面よりも面積が大きく、表示部材の前面を覆う保護用のガラス板が設けられる場合がある。そのため、保護用のガラス板における表示部材の周囲となる部分の裏面側には、部品等の存在しない空間が形成される場合があり、この場合、ガラス板に表面側から大きな力が加わるとガラス板が破損する虞がある。
【０００５】
本開示は、表示部材の前面に配置される保護用のガラス板を適切に保護可能な電子機器を提供する。
【課題を解決するための手段】
【０００６】
本開示に係る電子機器は、表示部材と、表示部材の前面よりも面積が大きく、表示部材の前面を全面的に覆うガラス板と、ガラス板のうち表示部材の周囲の部分を保持する第１の保持部を有するフレームと、ガラス板の側部を囲う外装部材と、を備え、外装部材は、ガラス板とフレームとの間に挿入され、ガラス板の表示部材側の面のうちフレームにより保持されていない部分を保持する第２の保持部を備える。
【発明の効果】
【０００７】
本開示の電子機器によれば、ガラス板は、フレームの第１の保持部と外装部材の第２の保持部とにより保持される。そのため、外部からガラス板に力が加わった場合でも、第１の保持部及び第２の保持部により力が受け止められることとなる。したがって、外部からの力によるガラス板の破損等が抑制されることとなる。
【図面の簡単な説明】
【０００８】
【図１】本開示の実施の形態に係るタブレット端末装置の上面（表示面）側を示す斜視図
【図２】本開示の実施の形態に係るタブレット端末装置の下面（背面）側を示す斜視図
【図３Ａ】本開示の実施の形態に係るタブレット端末装置において、ガラス板を取り外しかつ外側カバーの側面部材の一部を取り外した状態で、上面（表示面）側を示した斜視図
【図３Ｂ】本開示の実施の形態に係るタブレット端末装置において、ガラス板を取り外した状態で上面（表示面）側を示した斜視図
【図４】図１のＡ−Ａ線に沿う断面を一部省略して示した図
【図５】図１のＡ−Ａ線に沿う斜視断面図
【図６】図４、図５のＢ−Ｂ線に沿う断面図
【発明を実施するための形態】
【０００９】
（実施形態１）
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１０】
また、以下の説明では、特定の方向を意味する用語（例えば、「上」、「下」、「左」、「右」、およびそれらを含む他の用語）を使用する場合があるが、それらの使用は図面を参照した開示の理解を容易にするためであって、それらの用語の意味によって本開示は限定的に解釈されるべきものではない。
【００１１】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。タブレット端末装置は、ＣＰＵ、ＲＡＭ、ＲＯＭ、ＳＳＤ等の記憶装置、入力部、種々の外部インタフェース等を備え、記憶装置に記憶されているプログラムをＣＰＵで演算処理することにより、所定の機能を実現する。
【００１２】
図１は、本実施の形態に係る電子機器としてのタブレット端末装置の上面（表示面）側を示す斜視図、また、図２は、タブレット端末装置の下面（背面）側を示す斜視図である。
【００１３】
これらの図に示すように、本実施の形態に係るタブレット端末装置Ｗは、平面視で略四角形状に形成され所定の厚さ（高さ）を有する。タブレット端末装置Ｗの上面部２には、ガラス板２１が配置されている。ガラス板２１の下面側には、表示部材１１が配置されている。表示部材１１は、例えば液晶表示装置である。表示部材１１は、ユーザがタッチ入力可能なタッチパネル式の表示装置であってもよい。タブレット端末装置Ｗの下面部４（背面側）には、電池パック１０が装着されている。電池パック１０は、電池ロック操作部材を操作することにより、着脱可能である。タブレット端末装置Ｗの側面部６には、種々の操作スイッチや種々のコネクタが配置されている。
【００１４】
タブレット端末装置Ｗは、筐体１として、ガラス板２１で構成される上面部以外の外表面を構成する外側ケース３０を有する。外側ケース３０は、側面部６を構成する側面部材３１、及び下面部４を構成する下面部材３２を有する。側面部材３１は、平面視で額縁状の形状を有している。外側ケース３０を構成する各部材は、例えばエラストマ等の樹脂で形成されている。
【００１５】
外側ケース３０及びガラス板２１で囲まれた内部空間には、図４に示すように、内側ケース４０が収容されている。内側ケース４０は、種々の電子部品類を収容可能なように箱状に構成されている。内側ケース４０は、ガラス板２１側に配置される上側部材４１と、ガラス板２１とは反対側に配置される下側部材４２とで構成される。内側ケース４０は、タブレット端末装置Ｗのフレーム（骨格材）を構成し、機械的剛性等の確保のために、例えばマグネシウム（Ｍｇ）等の金属材料を用いて形成されている。なお、以下の説明においては、上側部材４１と下側部材４２とを区別せず内側ケース４０として説明する。
【００１６】
図３Ａに示すように、内側ケース４０の一側部（図３Ａにおいて右下側の側部）には、その一部を外側ケース３０において対応する側部（側面部材３１）から端末装置Ｗの長手方向において所定長離れる方向に凹ませることにより凹部４１ａが形成されている。そして、この凹部４１ａにより、図４に示すように、内側ケース４０と外側ケース３０との間には空間Ｘが形成される。この空間Ｘは、無線通信用のアンテナ５１を配置するために形成されている。以下、この空間Ｘをアンテナ配置空間Ｘという。
【００１７】
図４に示すように、外側ケース３０の側面部材３１は、側壁部３１ａと、側壁部３１ａの上端から側壁部３１ａに対してほぼ垂直に延びる上壁部３１ｂと、側壁部３１ａの下端から側壁部３１ａに対してほぼ垂直に延びる下壁部３１ｃとを備え、断面が略コ字状の形状に形成されている。
【００１８】
本実施形態においては、タブレット端末装置Ｗの一側部側のガラス板２１の下面側には、前述のように、アンテナ配置空間Ｘが形成されている。そのため、ガラス板２１におけるアンテナ配置空間Ｘの上方に位置し内側ケース４０により保持されていない部分に力が加えられた場合に、ガラス板２１が破損しないように構成する必要がある。ガラス板２１における内側ケース４０により保持されていない部分とは、ガラス板２１における、アンテナ配置空間Ｘをガラス板２１に対してその主面に垂直な方向に投影した部分（以下、適宜「アンテナ配置空間Ｘの上方部分」という）である。これに対応するため、本実施形態では、以下の構造を採用している。
【００１９】
すなわち、図４、図５に示すように、本実施形態では、ガラス板２１におけるアンテナ配置空間Ｘの上方部分以外の部分は、表示部材１１を収容する内側ケース４０の上壁部４１ｄにより表示部材１１の周囲の部分が保持されている。さらに、本実施形態では、ガラス板２１におけるアンテナ配置空間Ｘの上方部分を保持する部分として、外側ケース３０に、側壁部３１ａの上端近傍から内側ケース４０側へガラス板２１の主面に平行に延びる外側リブ３１ｄが形成されている。これにより、図３Ｂに示すように、内側ケース４０の上壁部４１ｄが存在しない部分に、外側ケース３０の外側リブ３１ｄが存在することとなる。これにより、ガラス板２１は、内側ケース４０により保持されていない部分（アンテナ配置空間Ｘの上方の部分）においても、外側ケース３０の外側リブ３１ｄにより保持される。
【００２０】
また、本実施形態においては、内側ケース４０に、側壁部４１ｂの上端近傍から外側ケース３０側へ、上壁部４１ｄとほぼ同じ高さ位置でガラス板２１の主面に平行に延びる内側リブ４１ｃが形成されている。
【００２１】
外側ケース３０の外側リブ３１ｄの端部は、タブレット端末装置Ｗの厚み方向において内側ケース４０の内側リブ４１ｃの端部に重なっている。具体的に、外側ケース３０の外側リブ３１ｄ及び内側ケース４０の内側リブ４１ｃは、端部側がタブレット端末装置Ｗの厚み方向において（ガラス板２１の主面に対して垂直な方向において）互いに重なるように、前記厚み方向における位置を異ならせて形成されている。
【００２２】
さらに、本実施形態においては、図５、図６に示すように、外側ケース３０の外側リブ３１ｄ及び内側ケース４０の内側リブ４１ｃはそれぞれ、外側ケース３０の外側リブ３１ｄがガラス板２１側に位置する状態で重なる部分と、内側ケース４０の内側リブ４１ｃがガラス板２１側に位置する状態で重なる部分とが交互に存在するように、タブレット端末装置Ｗにおける厚み方向の位置を交互に異ならせて形成されている。この構成において、外側ケース３０の外側リブ３１ｄが内側ケース４０の内側リブ４１ｃよりもガラス板２１側に位置する箇所においては、外側ケース３０の外側リブ３１ｄが、ガラス板２１と内側ケース４０の内側リブ４１ｃとの間に挿入された形態となる。これにより、内側ケース４０の内側リブ４１ｃにより外側ケース３０の外側リブ３１ｄが保持されることとなり、外側ケース３０の外側リブ３１ｄ部分によるガラス板２１に対する保護構造が堅固なものとなる。また、内側ケース４０は金属製で機械的剛性が高いので、外側ケース３０の外側リブ３１ｄに対する保持の剛性も高くなり、これにより、上記保護構造がより堅固なものとなる。
【００２３】
２．まとめ
本実施形態のタブレット端末装置Ｗは、表示部材１１と、表示部材１１の前面よりも面積が大きく、表示部材１１の前面を全面的に覆うガラス板２１と、ガラス板２１のうち表示部材１１の周囲の部分を保持する上壁部４１ｄを有する内側ケース４０と、ガラス板２１の側部を囲う外側ケース３０と、を備え、外側ケース３０は、ガラス板２１と内側ケース４０との間に挿入され、ガラス板２１の表示部材１１側の面のうち内側ケース４０により保持されていない部分を保持する外側リブ３１ｄ（第２の保持部）を備える。
【００２４】
これにより、ガラス板２１は、内側ケース４０の内側リブ４１ｃと外側ケース３０の外側リブ３１ｄとにより保持される。そのため、外部からガラス板２１に力が加わった場合でも、外側リブ３１ｄ及び内側リブ４１ｃにより力が受け止められることとなる。したがって、外部からの力によるガラス板２１の破損等が抑制されることとなる。
【００２５】
本実施形態において、内側ケース４０と外側ケース３０との間にアンテナ配置空間Ｘが形成され、アンテナ配置空間Ｘにアンテナ５１が配置され、ガラス板２１における内側ケース４０により保持されていない部分は、ガラス板２１における、アンテナ配置空間Ｘをガラス板２１に対してその主面に垂直な方向に投影した部分である。
【００２６】
これにより、ガラス板２１における、アンテナ配置空間Ｘをガラス板２１に対してその主面に垂直な方向に投影した部分に外部からガラス板２１に力が加わった場合でも、外側リブ３１ｄ及び内側リブ４１ｃにより力を受け止めることができる。したがって、外部からの力によるガラス板２１の破損等が抑制されることとなる。
【００２７】
本実施形態において、内側ケース４０の上壁部４１ｄは、ガラス板２１の主面に平行に延びる内側リブ４１ｃを備え、外側リブ３１ｄはガラス板２１の主面に平行に延び、内側リブ４１ｃ及び外側リブ３１ｄは、端部側がガラス板２１の主面に対して垂直な方向において重なるように形成されている。
【００２８】
これにより、外部からガラス板２１に力が加わった場合でも、外側リブ３１ｄと内側リブ４１ｃとが重なっていることにより、より強固に力を受け止めることができる。
【００２９】
本実施形態において、内側リブ４１ｃ及び外側リブ３１ｄはそれぞれ、内側リブ４１ｃがガラス板２１側に位置する状態で重なる部分と、外側リブ３１ｄがガラス板２１側に位置する状態で重なる部分とが交互に存在するように形成されている。
【００３０】
これにより、内側リブ４１ｃと外側リブ３１ｄとが互いに噛み合って連結されることとなる。そのため、外部からガラス板２１に力が加わった場合に、外側リブ３１ｄ及び内側リブ４１ｃにより、より一層強固に力を受け止めることができる。
【００３１】
本実施形態において、内側ケース４０は金属で形成され、外側ケース３０は樹脂で形成されている。
【００３２】
これによれば、持ち運び利用されることにより機械的剛性が要求されるタブレット端末装置Ｗの剛性を金属製の内側ケース４０により向上させることができるとともに、樹脂製の外側ケース３０によりタブレット端末装置Ｗの利用時のユーザの利便性を確保することができる。
【００３３】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３４】
本実施形態では、電子機器がタブレット端末装置である場合について説明した。しかし、これに限らない。本開示は、ノート型コンピュータ、電子手帳、電子ゲーム装置等の電子機器に広く適用可能である。
【００３５】
以上のように、本開示における技術の例示として、実施の形態を説明した。そのために、添付図面及び詳細な説明を提供した。
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００３６】
本開示は、ノート型コンピュータ、タブレット型コンピュータ、電子手帳、電子ゲーム装置等の持ち運び可能な電子機器に広く適用可能である。
【符号の説明】
【００３７】
Ｗ  タブレット端末装置
１  筐体
２  上面部
４  下面部
６  側面部
１０  電池パック
１１  表示部材
２１  ガラス板
３０  外側ケース
３１  側面部材
３１ａ  側壁部
３１ｂ  上壁部
３１ｃ  下壁部
３１ｄ  外側リブ
３２  下面部材
４０  内側ケース
４１  上側部材
４１ａ  凹部
４１ｃ  内側リブ
４１ｄ  上壁部
４２  下側部材
５１  アンテナ
Ｘ  アンテナ配置空間
【手続補正３】
【補正対象書類名】図面
【補正対象項目名】全図
【補正方法】変更
【補正の内容】
【図１】
2015097938.tif 000010
【図２】
2015097938.tif 000011
【図３Ａ】
2015097938.tif 000012
【図３Ｂ】
2015097938.tif 000013
【図４】
2015097938.tif 000014
【図５】
2015097938.tif 000015
【図６】
2015097938.tif 000016
【国際調査報告】
2015097938.tif 000017
2015097938.tif 000018
2015097938.tif 000019
2015097938.tif 000020